(57)【要約】      （修正有） 【課題】冷却部品の好ましい作動速度が得られ、かつビデオカードに対して効率よく放熱を行なうことのできるビデオカードのコアパラメータに基づく放熱制御装置を提供する。【解決手段】ビデオカード１と、ビデオカードの一方の側に設け、ビデオカードの冷却に供する少なくとも１以上の冷却部品２と、冷却部品の一方の側に設けられ、かつ冷却部品と電気的に接続して冷却部品の作動速度の制御に供する少なくとも１以上の制御基板３と、ビデオカード上に設ける少なくとも１以上のグラフィック・プロセッシング・ユニット１１と、制御基板に設けられ、グラフィック・プロセッシング・ユニットのチップ仕様の判断に供し、かつグラフィック・プロセッシング・ユニットの消費電力パラメータを感知する少なくとも１以上のセンシング素子３１と、制御基板内に設けられ、センシング素子とデータリンクし、チップ仕様と消費電力パラメータとを統合して作動速度を得るために供する少なくとも１以上の計算ユニット３２と、を含む。【選択図】図３
0003214263.tif 000002
【実用新案登録請求の範囲】
【請求項１】
ビデオカードと、
該ビデオカードの一方の側に設け、該ビデオカードの冷却に供する少なくとも１以上の冷却部品と、
該冷却部品の一方の側に設けられ、かつ該冷却部品と電気的に接続して該冷却部品の作動速度の制御に供する少なくとも１以上の制御基板と、
該ビデオカード上に設ける少なくとも１以上のグラフィック・プロセッシング・ユニットと、
該制御基板に設けられ、該グラフィック・プロセッシング・ユニットのチップ仕様の判断に供し、かつ該グラフィック・プロセッシング・ユニットの消費電力パラメータを感知する少なくとも１以上のセンシング素子と、
該制御基板内に設けられ、該センシング素子とデータリンクし、該チップ仕様と該消費電力パラメータとを統合して該作動速度を得るために供する少なくとも１以上の計算ユニットと、を含むことを特徴とするビデオカードのコアパラメータに基づく放熱制御装置。
【請求項２】
前記消費電力パラメータが電圧か、周波数の内の一つであることを特徴とする請求項１に記載のビデオカードのコアパラメータに基づく放熱制御装置。
【請求項３】
前記冷却部品がファンであることを特徴とする請求項１に記載のビデオカードのコアパラメータに基づく放熱制御装置。
【請求項４】
前記計算ユニットが少なくとも１以上の回転数換算表を有することを特徴とする請求項１に記載のビデオカードのコアパラメータに基づく放熱制御装置。
【請求項５】
前記計算ユニットが、該チップ仕様と該消費電力パラメータとを熱量発生パラメータに換算し、かつ該回転数換算表よって該熱量発生パラメータを作動速度に換算することを特徴とする請求項４に記載のビデオカードのコアパラメータに基づく放熱制御装置。
【請求項６】
前記チップ仕様を該グラフィック・プロセッシング・ユニットのパワー仕様の表示に供することを特徴とする請求項１に記載のビデオカードのコアパラメータに基づく放熱制御装置。
【請求項７】
前記制御基板内に操作制御インタフェース設け、かつ操作制御インタフェースによって該センシング素子と該計算ユニットとのデータをリンクさせることを特徴とする請求項１に記載のビデオカードのコアパラメータに基づく放熱制御装置。
【請求項８】
前記センシング素子がソフトウエアであることを特徴とする請求項１に記載のビデオカードのコアパラメータに基づく放熱制御装置。
【請求項９】
前記計算ユニットがソフトウエアであることを特徴とする請求項１に記載のビデオカードのコアパラメータに基づく放熱制御装置。
【考案の詳細な説明】
【技術分野】
【０００１】
この考案は、ビデオカードのグラフィック・プロセッシング・ユニットのパラメータに基づき、冷却部品を最適の作動速度に調整するビデオカードのコアパラメータに基づく放熱制御装置に関する。
【背景技術】
【０００２】
科学技術の発展に伴い、人々は様々なツールを考案して生活をより便利なものにしてきた。その内、コンピュータの考案は、人類の生活を大きく変えるものとなった。コンピュータによって人はデータのアップロード、ダウンロードが便利になり、人が上方を吸収するのに便利なルートが提供された。そして人類は爆破的な情報の時代へと進んだ。そして、現代の人々は、さらに多くの余暇を楽しむ娯楽の選択肢を得た。例えば、インターネットを通じて映像を観賞したり、音楽を聞いた入り、又はゲームをしたりする。ここにおいて、ビデオカードは人がコンピュータと対話するための重要な装置となった。
【０００３】
ビデオカードは、コンピュータシステムの必要とする表示データについて変換を行って表示装置を駆動するともに、表示装置にプログレッシブとインターレーススキャン信号を提供して表示装置の正確な表示を制御する。即ち、表示装置とパーソナルコンピュータのマザーボードとを接続する重要な部品である。但し、ビデオカードを運用する場合は、余剰の熱量が発生する。仮にビデもカードの熱量が高すぎると、ビデもカードの不安定を招き、甚だしくはビデオカードが故障して正常な運用ができなることも起きる。よって、ビデオカード上に、例えばファンなどの冷却部品を取り付けてビデオカードの温度を下げて、ビデオカードの正常な運用ができるようにする。また、冷却部品が最も好ましい効果を発揮するように、ビデオカード上に温度を感知する制御手段を設け、ビデオカードの温度の高さに基づいて冷却部品の作動速度を調整する。よって、ビデオカードは正常な作動を維持し、ビデオカードを使用する上での消費電力パラメータの変化によって冷却部品の作動速度が速すぎたり、遅すぎたりすることがなくなる。
【０００４】
しかしながら、上述する制御手段は、次の問題が確かに存在し、改善が望まれている。即ち、放熱装置はビデオカードの温度のみを感知するだけであって、ビデオカードの使用状態に対応して冷却部品の調整を行なうことができない。よって効率よく冷却部品を調整し、冷却部品を効率的に調整し、最も好ましい効率を達成するという抜本的な方法を達成することができない。
【考案の概要】
【考案が解決しようとする課題】
【０００５】
この考案は、冷却部品の好ましい作動速度が得られ、かつビデオカードに対して効率よく放熱を行なうことのできるビデオカードのコアパラメータに基づく放熱制御装置を提供することを改題とする。
【課題を解決するための手段】
【０００６】
この考案は、上述する課題を解決するものであって、その主な構造は、ビデオカードと少なくとも１以上の冷却部品と少なくとも１以上の制御基板と、少なくとも１以上のグラフィック・プロセッシング・ユニットと、少なくとも１以上のセンシングユニット素子と、少なくとも１以上の計算ユニットと、を含んでなり、該冷却部品は該ビデオカードの一方の側に設けられ、該ビデオカードの冷却に供する。該制御基板は該冷却部品の一方の側に設けられ、かつ該冷却部品と電気的に接続し、該冷却部品の作動速度の制御に供する。該グラフィック・プロセッシング・ユニットは該ビデオカード上に設けられる。該センシング素子は該制御基板に設けられ、該計算ユニットは該制御基板に設けられ、かつ該センシング素子のデータにリンクして、該センシングユニットによって該グラフィック・プロセッシング・ユニットのチップ仕様を判読するとともに、該センシング素子が該グラフィック・プロセッシング・ユニットの消費電力パラメータを検知し、該計算ユニットを介し、かつ該チップ仕様と該消費電力パラメータとに基づき該冷却部品の好ましい作動速度を得る。ユーザーは、再度該制御基板介して、該作動速度に基づいて該冷却部品を調整することで、該ビデオカードに対する効率的な放熱が得られる。
【０００７】
上述する技術は、従来の制御装置においてビデオカードの温度のみを依拠として冷却部品を調整することから、ビデオカードの使用状態によって冷却部品を最も効率的に調整することができないという問題を改善するものであって、この考案の係る優れた点は、実用性と進歩性を具えたものである。
【図面の簡単な説明】
【０００８】
【図１】この考案の実施例による放熱制御装置を示した斜視図である。
【図２】この考案の実施例による放熱制御装置の分解構造と局部構造を示した説明図である。
【図３】この考案の実施例による放熱制御装置の構造を示したブロック図である。
【図４】この考案における計算ユニットの動作を示した説明図である。
【図５】この考案の実施例による放熱制御装置の使用態様を示した説明図である。
【図６】この考案における回転数換算表を示したグラフである。
【考案を実施するための形態】
【実施例】
【０００９】
図１から図３は、この考案による放熱制御装置の斜視図と、局部構造を示した説明図と、構造を示したブロック図である。図面に開示するように、ビデオカード１と、少なくとも１以上の冷却部品２と、少なくとも１以上の制御基板３１と、少なくとも１以上のセンシングユニット素子３１と、少なくとも１以上の計算ユニット３２と、操作制御インタフェース３４とを含む。
【００１０】
ビデオカード１は、上面に少なくとも１以上のグラフィック・プロセッシング・ユニット１１を設けてなる。
【００１１】
冷却部品２はビデオカード１の一方の側に設けてビデオカード１の冷却に供する。
【００１２】
制御基板３は冷却部品２の一方の側に設けられ、冷却部品２と電気的に接続して冷却部品２の作動速度の制御に供する。
【００１３】
センシング素子３１は制御基板３内も設けられる。センシング素子３１はソフトウエアであって、グラフィック・プロセッシング・ユニット１１のチップ仕様の判断に供し、かつグラフィック・プロセッシング・ユニット１１の消費電力パラメータを感知する。
【００１４】
計算ユニット３２は制御基板３２内に設けられ、センシング素子３１とデータリンクする。計算ユニット３２はソフトウエアであって、該チップ仕様と該消費電力パラメータを統合して該作動速度を得るために供し、かつ計算ユニット３２には少なくとも１以上の回転数換算表３２１を具える。
【００１５】
操作制御インタフェース３４は、制御基板３１内に設けられ、センシング素子３１と計算ユニット３２とのデータをリンクさせる。
【００１６】
図１から図５を参照して述べる。図５はこの考案の好ましい実施の形態による使用態様を示した説明図である。図面に開示するように、ビデオカード１が作動する場合、ビデオカード１に熱量が発生し、冷却部品２が作動することによってビデオカード１の温度が下がる。よって、ビデオカード１がオーバーヒートによって故障することはない。冷却部品２はファンであって、ビデオカード１内のグラフィック・プロセッシング・ユニット（ｇｒａｐｈｉｃｓ ｐｒｏｃｅｓｓｉｎｇ ｕｎｉｔ, ＧＰＵ）１１は画像処理演算ワークの実行に供する重要なユニットである。グラフィック・プロセッシング・ユニット１１が作動する場合は消費する電気エネルギーがかなり多く、作動時に発生する熱量もかなり高い。よってグラフィック・プロセッシング・ユニット１１のチップ仕様１１１と消費電力パラメータ１１２はビデオカード１から発生する熱量の指標とすることができる。チップ仕様１１１はグラフィック・プロセッシング・ユニット１１のパワーの仕様の表示に供する。消費電力パラメータ１１２は電圧、または周波数の内の一つであって、ユーザーは冷却部品２がビデオカード１に対して効率よく放熱できるようにするために、コンピュータによって操作制御インタフェース３４を使用する。操作制御インタフェース３４はソフトウエアであって、操作制御インタフェース３４を介し、センシング素子３１を起動してグラフィック・プロセッシング・ユニット１１のチップ仕様１１１を判読し、かつグラフィック・プロセッシング・ユニット１１の消費電力パラメータ１１２を感知する。
【００１７】
センシング素子３１はチップ仕様１１１と消費電力パラメータ１１２とを計算ユニット３２に伝送し、計算ユニット３２はチップ仕様１１１と消費電力パラメータ１１２とを熱量発生パラメータ３３に換算し、かつ回転数表を介して、熱量パラメータ３３を冷却部品２の最も好ましい作動速度２１とする。ユーザーは操作制御インタフェース３４から作動速度２１を視認することができる。ユーザーが冷却部品２の作動速度２１を調整する場合は、操作制御インタフェース３４を利用して制御基板３４を制御すると、制御基板３はユーザーの調整した作動速度２１に至るまで冷却部品２を調整し、冷却部品２のビデオカード１に対する最も好ましい放熱効果を得る。
【００１８】
図６に、この考案の好ましい実施の形態における回転速度換算表を開示する。図面の開示から明らかなように、回転数換算表３２１の状態１と状態２は同一の型番で異なる熱量発生パラメータを有するラフィック・プロセッシング・ユニットか、または異なる型番のラフィック・プロセッシング・ユニットであって、状態１は消費電力が比較的高いグラフィック・プロセッシング・ユニットの状態である。よって、ファンの回転数を上げてグラフィック・プロセッシング・ユニットを安定した温度にしなければならない。状態２は消費電力が比較的低いラフィック・プロセッシング・ユニットの状態である。よって、ファンの低回転数を必要とするのみで、グラフィック・プロセッシング・ユニットを安定した温度にすることができる。
【００１９】
全ての図を参照にすると明らかなように、この考案は従来の技術に比して次に掲げる長所を有する。
【００２０】
１、センシング素子３１と計算ユニット３２とによってビデオカード１上のグラフィック・プロセッシング・ユニット１１のチップ仕様１１１の差異を判読し、かつグラフィック・プロセッシング・ユニット１１が作動する際の消費電力パラメータ１１２を感知し、さらにチップ仕様１１１と消費電力パラメータ１１２とを統合することで冷却部品２の好ましい作動速度２１が得られる。
【００２１】
２、制御基板３と冷却部品との設計によって、計算ユニット３２が算出した冷却部品２の好ましい作動速度２１に基づいて冷却部品２を調整し、ビデオカード１に対して効率よい放熱を行なうことができる。
【符号の説明】
【００２２】
１      ビデオカード
１１    グラフィック・プロセッシング・ユニット
１１１  チップ仕様
１１２  消費電力パラメータ
２      冷却部品
２１    作動速度
３      制御基板
３１    センシング素子
３２    計算ユニット
３２１  回転数換算表
３３    熱量発生パラメータ
３４    操作制御インタフェース
【図１】
0003214263.tif 000003
【図２】
0003214263.tif 000004
【図３】
0003214263.tif 000005
【図４】
0003214263.tif 000006
【図５】
0003214263.tif 000007
【図６】
0003214263.tif 000008